(57)【要約】【課題】  レンズ表面の汚れを簡単に検知し、警告を出すことができるデジタルカメラを提供する。【解決手段】  デジタルカメラ１０のパワーオン時に、フォーカスレンズ２１Ｂを所定位置に移動させ、ズームレンズ２１Ａ表面の画像データのコントラスト値を導出し、コントラスト値がしきい値Ｘ以上であるか否かを判定する。コントラスト値がしきい値Ｘ以上であるときは、ズームレンズ２１Ａ表面に合焦されたと判定され、ズームレンズ２１Ａ表面にゴミなどの汚れが付着していることを示す警告情報をＬＣＤ３８に表示し、スピーカー６０から警告音を出力する。【選択図】  図３
2005286404.tif 000002
【特許請求の範囲】
【請求項１】
レンズ鏡筒に設けられ、外部に露出する光学部品と、
被写体像を結像位置に合焦させるフォーカスレンズと、
前記フォーカスレンズを移動させ、焦点調整して合焦位置を得る駆動手段と、
前記フォーカスレンズの移動時に、前記光学部品の表面に合焦されるか否かを判定する合焦判定手段と、
前記合焦判定手段により合焦されたと判定されたときに、前記光学部品の表面に汚れが付着していることを示す警告をユーザーに報知する報知手段と、
を有することを特徴とするデジタルカメラ。
【請求項２】
前記合焦判定手段は、
前記フォーカスレンズを通して固体撮像素子に結像した前記光学部品表面の画像のコントラストの強さを示す物理量を導出する導出手段と、
前記コントラストの強さを示す物理量が所定値以上であるか否かを判定する判定手段と、
を有することを特徴とする請求項１に記載のデジタルカメラ。
【請求項３】
前記コントラストの強さを示す物理量は、撮影画角全体の平均値であることを特徴とする請求項２に記載のデジタルカメラ。
【請求項４】
前記報知手段は、
情報を表示する表示手段と、
前記表示手段に警告情報を表示するように制御する制御手段と、
を有することを特徴とする請求項１から請求項３までの何れか１項に記載のデジタルカメラ。
【請求項５】
前記報知手段は、
音を出力するスピーカーと、
前記スピーカーに警告音を出力させるように制御する制御手段と、
を有することを特徴とする請求項１から請求項３までの何れか１項に記載のデジタルカメラ。
【請求項６】
前記光学部品は、焦点距離を変更するズームレンズであることを特徴とする請求項１から請求項５までの何れか１項に記載のデジタルカメラ。
【請求項７】
前記合焦判別手段は、前記光学部品表面に合焦されるか否かの判定を、パワーオンによる前記レンズ鏡筒の突出時に行うことを特徴とする請求項１から請求項６までの何れか１項に記載のデジタルカメラ。
【請求項８】
前記合焦判別手段は、前記光学部品表面に合焦されるか否かの判定を、パワーオフによる前記レンズ鏡筒の沈動時に行うことを特徴とする請求項１から請求項６までの何れか１項に記載のデジタルカメラ。
【発明の詳細な説明】
【技術分野】
【０００１】
本発明は、デジタルカメラに係り、特に、焦点調整を自動的に行うオートフォーカス機能を備えたデジタルカメラに関する。
【背景技術】
【０００２】
長時間デジタルカメラを使用していると、表面に露出しているフィルターやレンズにゴミや指紋などの汚れが付着してしまい、レンズ性能の低下を招く。通常は、ユーザーがその汚れに気付いたときにレンズ表面をクリーニングしているが、汚れに気付かずに画像を撮影してしまった際には、折角の画像が台無しになってしまう恐れがある。
【０００３】
このため、従来からレンズを含む光学系に汚れが付着したときの対策が提案されている。
【０００４】
例えば、シャッターの内側にレンズクリーナーを装備し、レンズが繰り出される時又は沈動する時に、レンズクリーナーを作動させてレンズを拭くことで、レンズの汚れを取り除く方法が提案されている（例えば特許文献１を参照）。
【０００５】
また、位相差オートフォーカスにより撮影レンズのデフォーカス値を検出し、焦点光学系にゴミがあると、そのデフォーカス値がある範囲に収まるという性質から、ゴミを検知する方法が提案されている（例えば特許文献２を参照）。
【特許文献１】特開平５−３４７７４号公報
【特許文献２】特開平５−２７１５６号公報
【発明の開示】
【発明が解決しようとする課題】
【０００６】
しかしながら、上記従来技術では、以下に示す問題点がある。
【０００７】
特許文献１では、ゴミの有無に関わらず、レンズクリーナーを作動させてレンズを拭くため、常にきれいなレンズを使用できるという利点があるが、レンズクリーナー機構をわざわざ取り付けなければならず、構造が複雑となる。また、レンズクリーナーを取り替え可能な機構とする必要があり、取り替えが面倒となる。
【０００８】
特許文献２では、位相差オートフォーカスを使用しなければならないため、コストが上昇するという欠点がある。
【０００９】
本発明は、上記問題点に鑑みてなされたものであり、コストを上昇させることなく、簡単にレンズの汚れを検知し、警告を出すことができるデジタルカメラを提供することを目的とする。
【課題を解決するための手段】
【００１０】
上記問題点を解決するために、請求項１に記載の発明に係るデジタルカメラは、レンズ鏡筒に設けられ、外部に露出する光学部品と、被写体像を結像位置に合焦させるフォーカスレンズと、前記フォーカスレンズを移動させ、焦点調整して合焦位置を得る駆動手段と、前記フォーカスレンズの移動時に、前記光学部品の表面に合焦されるか否かを判定する合焦判定手段と、前記合焦判定手段により合焦されたと判定されたときに、前記光学部品の表面に汚れが付着していることを示す警告をユーザーに報知する報知手段と、を有することを特徴としている。
【００１１】
ここで、光学部品には、単焦点レンズ、ズームレンズ、フィルターなど、外部に露出するものが含まれる。
【００１２】
請求項１に記載の発明によれば、外部に露出する光学部品を備えたレンズ鏡筒には、フォーカスレンズが設けられている。駆動手段はフォーカスレンズを移動させ、焦点調整することによって、被写体像を結像位置に合焦させる。フォーカスレンズの移動時には、合焦判定手段によって、光学部品の表面に合焦されるか否かが判定される。その際、光学部品の表面にゴミなどの汚れが付着しているときは、光学部品の表面に合焦され、汚れが付着していないときは、光学部品の表面に合焦しない。合焦判定手段により合焦されたと判定されたときは、報知手段によって、光学部品の表面に汚れが付着していることを示す警告がユーザーに報知される。このため、ユーザーは汚れの付着を容易に確認し、クリーナーなどで拭くことができ、汚れが付着したまま撮影が続行されるのを回避できる。
【００１３】
請求項２に記載の発明に係るデジタルカメラは、請求項１に記載の構成において、前記合焦判定手段は、前記フォーカスレンズを通して固体撮像素子に結像した前記光学部品表面の画像のコントラストの強さを示す物理量を導出する導出手段と、前記コントラストの強さを示す物理量が所定値以上であるか否かを判定する判定手段と、を有することを特徴としている。
【００１４】
請求項２に記載の発明によれば、合焦判定手段による判定のために、フォーカスレンズを通して固定撮像素子に結像した光学部品表面の画像のコントラストの強さを示す物理量が、導出手段によって導出される。このコントラストの強さを示す物理量は、例えば、空間周波数が所定値より高いものを通過させるハイパスフィルタを用い、固定撮像素子に結像した画像データをハイパスフィルタに通し、これを積算することによって得られる。そして、判定手段によって、コントラストの強さを示す物理量が所定値以上であるか否かが判定される。所定値以上であるときは、光学部品の表面に合焦されたと判定され、光学部品の表面に汚れが付着していることが分かる。このような判定は、オートフォーカス機能を有するデジタルカメラの通常の部品を用いて行うことができ、部品コストの上昇を防止できる。
【００１５】
請求項３に記載の発明に係るデジタルカメラは、請求項２に記載の構成において、前記コントラストの強さを示す物理量は、撮影画角全体の平均値であることを特徴としている。
【００１６】
請求項３に記載の発明によれば、コントラストの強さを示す物理量は、撮影画角全体の平均値であり、この物理量を導出することによって光学部品の表面全体に合焦されるか否かが判定される。このため、光学部品の表面のどの部分に汚れが付着していても、ユーザーは汚れの付着を知ることができる。
【００１７】
請求項４に記載の発明に係るデジタルカメラは、請求項１乃至請求項３に記載の構成において、前記報知手段は、情報を表示する表示手段と、前記表示手段に警告情報を表示するように制御する制御手段と、を有することを特徴としている。
【００１８】
請求項４に記載の発明によれば、合焦判定手段により合焦されたと判定されたときは、制御手段の制御によって表示手段に警告情報が表示される。このため、ユーザーは、表示手段を見ることで、光学部品の表面に汚れが付着していることを容易に確認できる。
【００１９】
請求項５に記載の発明に係るデジタルカメラは、請求項１乃至請求項３に記載の構成において、前記報知手段は、音を出力するスピーカーと、前記スピーカーに警告音を出力させるように制御する制御手段と、を有することを特徴としている。
【００２０】
請求項５に記載の発明によれば、合焦判定手段により合焦されたと判定されたときは、制御手段の制御によってスピーカーから警告音が出力される。このため、ユーザーは、警告音を聞くことで、光学部品の表面に汚れが付着していることを容易に確認できる。
【００２１】
請求項６に記載の発明に係るデジタルカメラは、請求項１乃至請求項５に記載の構成において、前記光学部品は、焦点距離を変更するズームレンズであることを特徴としている。
【００２２】
請求項６に記載の発明によれば、外部に露出する光学部品は、焦点距離を変更するズームレンズである。ユーザーは、上記構成によって、ズームレンズの表面に汚れが付着していることを容易に確認できる。
【００２３】
請求項７に記載の発明に係るデジタルカメラは、請求項１乃至請求項６に記載の構成において、前記合焦判別手段は、前記光学部品表面に合焦されるか否かの判定を、パワーオンによる前記レンズ鏡筒の突出時に行うことを特徴としている。
【００２４】
請求項７に記載の発明によれば、パワーオンによりレンズ鏡筒が突出する時に、合焦判別手段によって、光学部品表面に合焦されるか否かが判定される。このため、ユーザーは通常の撮影を中断することなく、光学部品の表面の汚れを確認できる。
【００２５】
請求項８に記載の発明に係るデジタルカメラは、請求項１乃至請求項６に記載の構成において、前記合焦判別手段は、前記光学部品表面に合焦されるか否かの判定を、パワーオフによる前記レンズ鏡筒の沈動時に行うことを特徴としている。
【００２６】
請求項８に記載の発明によれば、パワーオフによりレンズ鏡筒が沈動する時に、合焦判別手段によって、光学部品表面に合焦されるか否かが判定される。このため、ユーザーは通常の撮影を中断することなく、光学部品の表面の汚れを確認できる。
【発明の効果】
【００２７】
本発明に係るデジタルカメラによれば、上記のように構成したので、光学レンズの表面が汚れているときに、コストを上昇させることなく汚れを検知し、警告を出すことができる。
【発明を実施するための最良の形態】
【００２８】
以下、図面を参照して、本発明の実施の形態について詳細に説明する。まず、図１を参照して、本実施の形態に係るデジタルカメラ１０の外観上の構成を説明する。
【００２９】
デジタルカメラ１０の正面には、被写体像を結像させるためのレンズ２１と、レンズ２１が装着されたレンズ鏡筒２５と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、が備えられている。
【００３０】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３１】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３２】
一方、デジタルカメラ１０の背面には、前述のファインダ２０の接眼部と、撮影された被写体像やメニュー画面や警告情報（後述する）等を表示するための液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃと、が備えられている。
【００３３】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、撮影時に被写体像のズーミング（拡大及び縮小）を行うときに操作されるズームボタン５６Ｆと、が更に備えられている。さらに、デジタルカメラ１０の背面には、警告音（後述する）などの音を出力するスピーカー６０が備えられている。
【００３４】
なお、十字カーソルボタン５６Ｄは、ＬＣＤ３８の表示領域における上・下・左・右の４方向の移動方向を示す４つの矢印キー及び当該４つの矢印キーの中央部に位置された決定キーの合計５つのキーを含んで構成されている。ズームボタン５６Ｆは、同図の‘Ｔ’の位置に対応し、かつ被写体像を拡大（ズーム・イン）するときに操作されるテレ・ボタンと、同図の‘Ｗ’の位置に対応し、かつ被写体像を縮小（ズーム・アウト）するときに操作されるワイド・ボタンと、を含んで構成されている。
【００３５】
次に、図２を参照して、本実施の形態に係るデジタルカメラ１０の電気系の構成を説明する。
【００３６】
デジタルカメラ１０は、前述のレンズ２１を含んで構成された光学ユニット２２と、レンズ２１の光軸後方に配設された固体撮像素子（以下、「ＣＣＤ」という。）２４と、入力されたアナログ信号に対して各種のアナログ信号処理を行うアナログ信号処理部２６と、を含んで構成されている。
【００３７】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３８】
なお、デジタル信号処理部３０は、所定容量のラインバッファを内蔵し、入力されたデジタルデータを後述するメモリ４８の所定領域に直接記憶させる制御も行う。
【００３９】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４０】
一方、デジタルカメラ１０は、被写体像やメニュー画面や警告情報（後述する）等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データやレンズ２１表面に合焦させるか否かを判定するためのプログラム（後述する）等を記憶するメモリ４８と、メモリ４８に対するアクセスの制御を行うメモリインタフェース４６と、を含んで構成されている。
【００４１】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４２】
なお、本実施の形態のデジタルカメラ１０では、メモリ４８としてＶＲＡＭ（Video RAM）が用いられ、メモリカード５２としてスマートメディア（Smart Media(R)）が用いられている。
【００４３】
デジタル信号処理部３０、ＬＣＤインタフェース３６、ＣＰＵ４０、メモリインタフェース４６、外部メモリインタフェース５０、圧縮・伸張処理回路５４、及びスピーカー６０はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセス、スピーカー６０からの音の出力を各々行うことができる。
【００４４】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４５】
更に、デジタルカメラ１０にはモータドライバ３４が備えられており、ＣＰＵ４０はモータドライバ３４に備えられたズームドライバ３４Ａ、フォーカスドライバ３４Ｂ、アイリスドライバ３４Ｃの入力端に各々接続される。ズームドライバ３４Ａ、フォーカスドライバ３４Ｂ、アイリスドライバ３４Ｃの出力端は、光学ユニット２２に備えられたズームモータ６２、フォーカスモータ６４及びアイリスモータ６６に各々接続される。従って、ズームモータ６２、フォーカスモータ６４及びアイリスモータ６６の駆動はＣＰＵ４０によりモータドライバ３４を介して制御される。
【００４６】
光学ユニット２２に備えられたレンズ２１は、複数枚のレンズが光軸に沿って移動することで焦点距離の変更（変倍）が可能なズームレンズ２１Ａと、複数枚のレンズにより焦点調整して合焦位置に移動が可能なフォーカスレンズ２１Ｂとで構成されている。光学ユニット２２には、開口量を変更可能なアイリス２３が備えられている。本実施の形態のデジタルカメラ１０は、ズームレンズ２１Ａの表面が外部に露出している。なお、ズームレンズ２１Ａの表面をフィルターで覆う場合もある。
【００４７】
更に、光学ユニット２２には、ズームレンズ２１Ａ、フォーカスレンズ２１Ｂ及びアイリス２３の駆動機構（図示せず）が備えられており、この駆動機構にはズームモータ６２、フォーカスモータ６４及びアイリスモータ６６が含まれている。ズームモータ６２、フォーカスモータ６４及びアイリスモータ６６は各々ＣＰＵ４０の制御下でモータドライバ３４から供給された駆動信号によって駆動される。
【００４８】
ＣＰＵ４０は、光学ズーム倍率を変更する際にはズームモータ６２を駆動制御して光学ユニット２２に含まれるズームレンズ２１Ａの焦点距離を変化させる。
【００４９】
また、ＣＰＵ４０は、通常の撮影の際には、ＣＣＤ２４による撮像によって得られた画像のコントラスト値が最大となるようにフォーカスモータ６４を駆動制御することによって合焦制御を行う。すなわち、合焦制御として、読み取られた画像のコントラスト値が最大となるようにレンズの位置を設定する、所謂ＴＴＬ（Through The Lens）方式を採用している。また、本実施の形態では、ズームレンズ２１Ａの表面に合焦されるか否かを判定するときは、異なる制御によってコントラスト値を導出するが、これについては後述する。このコントラスト値は、コントラストの強さを示す物理量であり、本実施の形態では、画像データをハイパスフィルタに通し、これを積算して得た値である。ハイパスフィルタは、デジタル信号処理部３０に入っており、空間周波数が所定値よりも高いものを通過させる。
【００５０】
更に、前述のレリーズボタン５６Ａ、電源スイッチ５６Ｂ、モード切替スイッチ５６Ｃ、十字カーソルボタン５６Ｄ、強制発光スイッチ５６Ｅ、及びズームボタン５６Ｆ（同図では、「操作部５６」と総称。）はＣＰＵ４０に接続されており、ＣＰＵ４０は、これらの操作部５６に対する操作状態を常時把握できる。
【００５１】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５２】
次に、本実施の形態に係るデジタルカメラ１０の撮影時における全体的な動作について簡単に説明する。
【００５３】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５４】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５５】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００５６】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５７】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。ユーザーはスルー画面を参照しつつ、次の撮影における構図の決定や、ズームボタン５６Ｆの操作によるズーミング等の作業を行う。
【００５８】
ここで、通常の撮影において、レリーズボタン５６Ａがユーザーによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００５９】
次に、図３〜図５を参照して、本実施形態のデジタルカメラ１０のＣＰＵ４０で実行される処理のうち、本発明に特に関係するパワーオン（電源オン）におけるプログラムの処理の流れを詳細に説明する。なお、図３は、電源スイッチ５６Ｂが入ったときに、ＣＰＵ４０で実行される合焦判定処理の流れを示すフローチャートである。また、図４及び図５は、当該処理の説明に供する説明図である。
【００６０】
図３のステップ１００では、デジタルカメラ１０の電源スイッチ５６Ｂが入ると（パワーオン）、ＣＰＵ４０はデジタルカメラ１０を初期化し、各種設定などを初期状態にする。
【００６１】
次のステップ１０２では、ＣＰＵ４０がモータドライバ３４を介してズームモータ６２を制御し、レンズ鏡筒２５に装着されたズームレンズ２１Ａの駆動を開始する。これと同時に、ＣＰＵ４０がモータドライバ３４を介してフォーカスモータ６４を制御し、フォーカスレンズ２１Ｂの駆動を開始する。これにより、ズームレンズ２１Ａはホームポジションまで突出すると共に、フォーカスレンズ２１Ｂはホームポジションまで移動する。
【００６２】
ズームレンズ２１Ａがホームポジションまで突出する間に、フォーカスレンズ２１Ｂはズームレンズ２１Ａの表面に合焦可能な所定位置（図４中の点線の位置）を通過するようになっており、次のステップ１０４では、ＣＰＵ４０が所定位置における撮影画角全体のコントラスト値の平均値を導出する。すなわち、ズームレンズ２１Ａの突出時の位置から、ズームレンズ２１Ａ表面に合焦可能なフォーカスレンズ２１Ｂの相対位置が予め分かっているので、ＣＰＵ４０は、フォーカスレンズ２１Ｂが所定位置（図４中の縦の点線の位置）に移動したときのコントラスト値を導出する。コントラスト値は、フォーカスレンズ２１Ｂを通ってＣＣＤ２４に結像したズームレンズ２１Ａ表面の画像データを、デジタル信号処理部３０でハイパスフィルタに通し、これをＣＰＵ４０で積算することで得られる。
【００６３】
次のステップ１０６では、図４に示すように、ＣＰＵ４０は、導出されたコントラスト値がしきい値Ｘ以上であるか否かを判定する。しきい値Ｘはメモリ４８に予め記憶されており、ＣＰＵ４０による制御に応じて読み出される。このコントラスト値がしきい値Ｘ以上であるときは、ズームレンズ２１Ａの表面に合焦されたことになる。本実施の形態では、撮影画角全体のコントラスト値の平均値が導出されるので、ズームレンズ２１Ａの全面に合焦されるか否かが判定される。つまり、ズームレンズ２１Ａのどの部分にゴミが付着していても検出可能である。なお、しきい値Ｘは、コントラスト値が当該値を超えたときにズームレンズ２１Ａの表面に汚れが付着していると見なすことができる値として、予め実機を用いた実験や、デジタルカメラ１０の設計仕様に基づくコンピュータ・シミュレーション等によって得られた値を適用している。
【００６４】
上記ステップ１０６で肯定判定の場合はステップ１０８に移行し、ＣＰＵ４０はＬＣＤインタフェース３６を介してＬＣＤ３８に、図５に示すように「レンズ表面にゴミが付着しています。」という警告情報を表示する。これと同時に、ＣＰＵ４０はスピーカー６０から警告音を出力する。なお、本実施の形態では、警告情報と警告音を併用することでユーザーへの警告を行うが、例えばストロボ４４による発光などにより警告を行ってもよい。
【００６５】
次いで、ステップ１１０では、ＣＰＵ４０が所定時間経過したか否かを判定し、肯定判定の場合はステップ１１２に移行して、前述した通常の撮影処理を行う。否定判定の場合はステップ１１０に戻り、ユーザーへの警告が所定時間なされる。
【００６６】
一方、上記ステップ１０６において否定判定となった場合、すなわち、ズームレンズ２１Ａ表面に合焦されなかった場合は、ズームレンズ２１Ａ表面に汚れが付着していないことになる。この場合はステップ１１２に移行し、通常の撮影処理を行う。
【００６７】
本実施の形態のデジタルカメラ１０では、ユーザーに警告情報及び警告音でズームレンズ２１Ａの表面に汚れが付着していることが報知されるので、ユーザーはクリーナーなどでズームレンズ２１Ａの表面を拭くことができ、汚れが付着したまま撮影が続行されるのを回避できる。また、パワーオンによるズームレンズ２１Ａの突出時にユーザーが意識することなく、ズームレンズ２１Ａ表面の合焦判定がされるので、通常の機能を損なうことなく、またデジタルカメラ１０を使っていながらにして、ズームレンズ２１Ａ表面の汚れを検出できる。また、通常のデジタルカメラの部品点数を増やすことなく、ズームレンズ２１Ａ表面の汚れを検出でき、部品コストの上昇を防止できる。
【００６８】
次に、本発明の他の実施形態を、図６を参照して説明する。
【００６９】
なお、図６は、デジタルカメラ１０のＣＰＵ４０で実行されるパワーオンにおけるプログラムの処理の流れであって、合焦判定処理の流れを示すフローチャートである。また、上記図３の説明と共通する部分は極力省略しながら説明する。
【００７０】
図６のステップ１２０では、デジタルカメラ１０の電源スイッチ５６Ｂが入ると（パワーオン）、ＣＰＵ４０がデジタルカメラ１０を初期化する。
【００７１】
次のステップ１２２では、ＣＰＵ４０がモータドライバ３４を介してズームモータ６２及びフォーカスモータ６４を制御し、ズームレンズ２１Ａ及びフォーカスレンズ２１Ｂの駆動を開始する。これにより、ズームレンズ２１Ａが突出し、フォーカスレンズ２１Ｂも移動する。
【００７２】
次のステップ１２４では、フォーカスレンズ２１Ｂが、ズームレンズ２１Ａ表面に合焦される位置を含む所定範囲（図４中の縦の点線を含む所定範囲Ａ）を通過するときに、ＣＰＵ４０が撮影画角全体のコントラスト値の平均値を導出する。すなわち、ＣＰＵ４０は所定範囲Ａにおける撮影画角全体のコントラスト値の平均値を導出する。
【００７３】
次のステップ１２６では、ＣＰＵ４０は、コントラスト値がしきい値Ｘ以上であるか否かを判定する。すなわち、コントラスト値がしきい値Ｘ以上であるときは、所定範囲Ａ内にコントラスト値のピークが存在し、ズームレンズ２１Ａの表面に合焦されたことになる。そして、肯定判定の場合はステップ１２８に移行し、ＣＰＵ４０がＬＣＤインタフェース３６を介してＬＣＤ３８に、「レンズ表面にゴミが付着しています。」という警告情報を表示すると共に、スピーカー６０から警告音を出力する。
【００７４】
次のステップ１３０では、ＣＰＵ４０は所定時間経過したか否かを判定し、肯定判定の場合はステップ１３２に移行して、ＣＰＵ４０はモータドライバ３４を介してフォーカスモータ６４を制御し、フォーカスレンズ２１Ｂの駆動を停止する。そして、次のステップ１３４に移行し、通常の撮影処理を行う。否定判定の場合はステップ１３０に戻り、ユーザーへの警告が所定時間なされる。
【００７５】
一方、上記ステップ１２６において否定判定となった場合、すなわち、合焦されなかった場合は、ステップ１３６に移行して、ＣＰＵ４０はフォーカスレンズ２１Ｂが所定範囲Ａの終了位置まで移動したか否かを判定する。否定判定の場合はステップ１２４に移行して、ＣＰＵ４０は、所定範囲Ａにおける撮影画角全体のコントラスト値の平均値を導出する。
【００７６】
上記ステップ１３６において肯定判定となった場合は、所定範囲Ａで合焦されず、ズームレンズ２１Ａ表面に汚れが付着していないため、ステップ１３２に移行し、ＣＰＵ４０はフォーカスレンズ２１Ｂの駆動を停止する。次いで、ステップ１３４で通常の撮影処理を行う。
【００７７】
このようなデジタルカメラ１０のパワーオンにおける合焦判定処理では、所定範囲Ａにおけるコントラスト値が導出されるので、より正確にズームレンズ２１Ａ表面に合焦されるか否かの判定が可能である。このため、ユーザーにズームレンズ２１Ａの表面に汚れが付着していることをより正確に報知できる。
【００７８】
なお、上記実施形態では、ズームレンズ２１Ａの表面に合焦されるか否かの判定は、パワーオンによるズームレンズ２１Ａの突出時に行ったが、これに限るものではない。例えば、この判定は、パワーオフ（電源スイッチ５６Ｂを切ったとき）によるズームレンズ２１Ａの沈動時にフォーカスレンズ２１Ｂが移動するのを利用して行ってもよい。また、この判定は、撮影モードと再生モードの切り換え時に、ズームレンズ２１Ａとフォーカスレンズ２１Ｂが動くのを利用して行ってもよい。また、この判定は、ＣＰＵ４０が所定時間毎に汚れ検出モードを設定して行ってもよい。
【００７９】
なお、上記実施形態では、外部に露出している光学部品はズームレンズ２１Ａであったが、単焦点レンズ、フィルターであっても、表面に合焦されるか否かを判定することで、同様に本発明を適用できる。
【図面の簡単な説明】
【００８０】
【図１】本発明の実施の形態に係るデジタルカメラの外観を示す外観図である。
【図２】本発明の実施の形態に係るデジタルカメラの電気系の構成を示すブロック図である。
【図３】本発明の実施の形態に係るデジタルカメラにおいて実行されるパワーオン時の処理の流れを示すフローチャートである。
【図４】本発明の実施の形態に係るデジタルカメラにおいて実行されるパワーオン時の処理の説明に供する説明図である。
【図５】本発明の実施の形態に係るデジタルカメラにおいて実行されるパワーオン時の処理の説明に供する説明図である。
【図６】本発明の他の実施の形態に係るデジタルカメラにおいて実行されるパワーオン時の処理の流れを示すフローチャートである。
【符号の説明】
【００８１】
１０  デジタルカメラ
２１Ａ      ズームレンズ（光学部品）
２１Ｂ      フォーカスレンズ
２５  レンズ鏡筒
３４  モータドライバ（制御手段）
３８  ＬＣＤ（表示手段）
４０  ＣＰＵ（制御手段、合焦判定手段）
６０  スピーカー
６４  フォーカスモータ（駆動手段）
【図１】
2005286404.tif 000003
【図２】
2005286404.tif 000004
【図３】
2005286404.tif 000005
【図４】
2005286404.tif 000006
【図５】
2005286404.tif 000007
【図６】
2005286404.tif 000008